(57)【要約】顧客が要望する携帯機器情報の形状仕様をコンピュータに取込み、該携帯機器の機影を画像表示器に表示し、同じく顧客が要望する装飾図形を取込んで調整しつつ、画像表示器に表示された機影に重ねて表示し、顧客の要求を満たす装飾画像を画像表示器上で確定した後に、画像表示器上に得られた装飾画像の中の装飾図形の成分を携帯機器との実寸法関係を保持しつつ装飾図形貼付シートに印刷し、個性豊かな装飾画像シールを迅速かつ簡便に作成して装飾を施すようになっている。
2004072869.tif 000002
【特許請求の範囲】
【請求項１】
コンピュータと該コンピュータで得られた装飾図形出力を表示する画像表示器と該コンピュータによって駆動される印刷機とを備え、前記コンピュータには、携帯機器の形状仕様の情報を該携帯機器に固有の整理符号と共に記録する携帯機器仕様メモリと、該携帯機器に貼付する装飾図形の情報を該装飾図形に固有の整理符号と共に記録する装飾図形メモリと、コンピュータ操作部とを備えるとともに、該操作部には、前記携帯機器仕様メモリに記録されている携帯機器仕様情報を取込み携帯機器の機影を前記画像表示器に表示させる操作手段と、前記装飾図形メモリに記録されている装飾図形情報を取込んで装飾図形を前記画像表示器に表示させる操作手段と、前記画像表示器に表示された装飾図形の大きさや色彩を調整する操作手段と、前記画像表示器に表示されている携帯機器の機影に装飾図形を重ね合わせて装飾画像を画面上で創製する操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置。
【請求項２】
コンピュータと該コンピュータで得られた装飾図形出力を表示する画像表示器と該コンピュータによって駆動される印刷機とを備え、前記コンピュータには、携帯機器の形状仕様の情報を該携帯機器に固有の整理符号と共に記録する携帯機器仕様メモリと、該携帯機器に貼付する装飾図形の情報を該装飾図形に固有の整理符号と共に記録する装飾図形メモリと、該携帯機器に固有の装飾画像として完成された装飾画像情報を該装飾画像に固有の整理符号と共に記録する装飾画像メモリと、コンピュータ操作部とを備えるとともに該操作部には、前記携帯機器仕様メモリに記録されている携帯機器仕様情報を取込み携帯機器の機影を前記画像表示器に表示させる操作手段と、前記装飾図形メモリに記録されている装飾図形情報を取込んで装飾図形を前記画像表示器に表示させる操作手段と、前記画像表示器に表示された装飾図形の大きさや色彩を調整する操作手段と、前記画像表示器に表示されている携帯機器の機影に装飾図形を重ね合わせて装飾画像を作る操作手段と、携帯機器に固有の装飾画像として完成された装飾画像情報を該装飾画像に固有の整理符号と共に装飾画像メモリに記録する装飾画像記録操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置。
【請求項３】
コンピュータと携帯機器の形状仕様や図形等の読取りの機器図形取込み装置と該コンピュータで得られた装飾図形出力を表示する画像表示器と該コンピュータによって駆動される印刷機とを備え、前記コンピュータには、携帯機器の形状仕様の情報を該携帯機器に固有の整理符号と共に記録する携帯機器仕様メモリと、該携帯機器に貼付する装飾図形の情報を該装飾図形に固有の整理符号と共に記録する装飾図形メモリと、コンピュータ操作部とを備えるとともに、前記機器図形取込み装置は、携帯機器の形状仕様を測定しその形状仕様をデジタル情報化する機器仕様の取込み装置を有し、前記コンピュータの操作部には、前記携帯機器仕様メモリに記録されている携帯機器仕様情報を取込んでその機影を前記画像表示器に表示させる操作手段と、前記機器図形取込み装置で得られた携帯機器の形状仕様の情報を該携帯機器に固有の整理符号と共に前記携帯機器仕様メモリに記録させる機器仕様情報の記録手段と、前記装飾図形メモリに記録されている装飾図形情報を取込み装飾図形を前記画像表示器に表示させる操作手段と、前記画像表示器に表示された装飾図形を調整する操作手段と、前記画像表示器に表示されている携帯機器の機影に装飾図形を重ね合わせて装飾画像を作る操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置。
【請求項４】
コンピュータと携帯機器の形状仕様や図形等を読取る機器図形取込み装置と、携帯機器及び装飾図形情報を画像として表示する画像表示器と、前記コンピュータによって駆動される印刷機とを備え、前記コンピュータには、メモリに記録されている携帯機器の形状仕様の情報を利用して表示画面上に携帯機器の機影を表示する装置と、メモリに記録されている装飾図形情報を利用して表示画面上の装飾図形の調整をする装置と、メモリに記録されている装飾画像情報を利用して携帯機器の機影に装飾図形を重ね合わせた装飾画像を表示画面上に表示する装置とコンピュータの操作部とを備えるとともに、コンピュータの操作部にはメモリに記録されている携帯機器仕様情報及び装飾図形情報或いは装飾画像情報を取込んでその機影及び図形や画像を前記画像表示器に表示させる操作手段と、前記機器図形取込み装置で得られた携帯機器の形状仕様の情報又は図形情報を固有の整理符号と共にメモリに記録させる記録手段と、前記画像表示器に表示された装飾画像または装飾図形の色や大きさを調整する操作手段と、前記画像表示器に表示されている携帯機器の機影に装飾図形を重ね合わせて装飾画像を創製する操作手段と、画像表示器に表示された装飾画像の中の装飾図形の成分を前記印刷機によって携帯機器との実寸法関係を保持して装飾図形貼付用のシートに印刷する手段とを有していることを特徴とする携帯機器装飾装置。
【請求項５】
前記コンピュータは、携帯機器と装飾図形とを重ね合わせた装飾画像を表示している画像表示器に、新たな装飾図形を表示し、この装飾図形を前記装飾画像に重ねて表示させる操作手段と、装飾画像を構成する複数の装飾図形のそれぞれの大きさや色彩を独立して調整する調整操作手段とを有し、携帯機器の機影に複数の装飾図形を重ね合わせて得られた装飾画像の中の装飾図形成分を単一の図形として前記印刷機によって装飾図形貼付用のシートに印刷する操作手段とを有している請求項１ないし請求項４のいずれかに記載の携帯機器装飾装置。
【請求項６】
コンピュータと機器図形取込み装置と該コンピュータで得られた装飾図形情報を映像画面に表示する画像表示器と該コンピュータによって駆動される印刷機とを備え、前記コンピュータには、携帯機器の外形仕様情報を該携帯機器に固有の整理符号と共に記録する携帯機器仕様メモリと、該携帯機器に貼付する装飾図形の情報を該装飾図形に固有の整理符号と共に記録する装飾図形メモリとを備えるとともに、前記機器図形取込み装置で得られた装飾図形の情報を該装飾図形に固有の整理符号と共に前記装飾図形メモリに記録させる装飾図形情報記録し、前記携帯機器仕様メモリに記録されている携帯機器仕様情報を読取り、携帯機器の機影を前記画像表示器に表示させ、前記装飾図形メモリに記録されている装飾図形情報を読取り装飾図形を前記画像表示器に表示させ、前記画像表示器に表示された装飾図形を調整してあらかじめ画像表示器に表示されている携帯機器の機影に装飾図形を重ね合わせて装飾画像を作り、その後に、画像表示器に表示された装飾画像の中の装飾図形の成分を前記印刷機によって携帯機器との実寸法関係を保持して装飾図形貼付用のシートに印刷して装飾画像シールを創製し、該携装飾画像シールを携帯機器に貼付して創製した画像の装飾をすることを特徴とする携帯機器装飾方法。
【発明の詳細な説明】
【技術分野】  本発明は、携帯電話やノートパソコンなど日常的に携行する装置や小物の器具などの表面に顧客が希望する態様で模様や図形、図柄や模様、背景写真や漫画やアニメのキャラクタ、顧客が持ち込むその他の写真や図柄等（以下これらをまとめて図形等ともいう）を簡便に貼付してこれらの携帯された機器に装飾を施す装飾の方法およびその装置に関する。
【背景技術】  技術の進歩とともに、部品や材料の革新や精密化と高集積化が進歩し、これにより、種々の機械器具が小型化され携行に便利になってきている。例えば、日常的に使用される携帯電話、ノートパソコン、ＰＤＡと呼ばれる情報端末機、カメラ、携帯用のゲーム機や自動車で使用する小物機器等（以下これらを携帯機器という）も殆どが軽量小型で携行され易く改良されているが、一方では、このような携帯機器の多くは、機能を重視し、画一的なデザインで大量生産することによって携行可能な小型化が実現されるために、携帯機器のデザインによる個性化はますます難しくなっている。
このような社会環境は、機器の使用者に無味乾燥なデザインの携帯機器を携行させることになり、機器を使用する顧客から見れば、その外観だけでも、個性的な装飾を施したいという要望が高まる時代的な背景にある。
このために、従来から携帯機器に装飾や個性的なデザインを施す試みがいくつか進められ、例えば、希望する図形や模様等があらかじめ印刷されている画像シールを携帯機器に貼付して、携帯機器の表面に画像等の装飾を施すことが行なわれている。
また、例えば、特開２０００−２３１３３３号公報のように、使用者が持ち込んだ写真や絵図を装飾図柄とするために、写真や絵図をスキャナにかけてパソコンに取込み、印刷機でシートに印刷して貼着するアイデアもある。しかし、このような技術は、まだ、具体的に実用化されておらず、使用者が、希望する図形を取り入れて、自己の携帯機器に、より迅速、かつ、簡便に装飾を施す技術は実現されていない。
【発明の開示】
本発明は、このように日常的に使用される種々の携帯機器に、より個性的、かつ、簡便に装飾を施せるようにすることを目的とし、特に、顧客から出される多様なデザインの装飾要求に対応した装飾画像シールを顧客が持参した携帯機器の形状や寸法特性に合わせて、できる限り簡易に、かつ、顧客がいる場所で提供することができるような、簡易な携帯機器の装飾の方法や携帯機器の装飾装置を提供するものである。
上記の目的を達成するために、本発明は、コンピュータと該コンピュータで得られた装飾図形出力を表示する画像表示器と該コンピュータによって駆動される印刷機とを備え、前記コンピュータには、携帯機器の形状仕様の情報を該携帯機器に固有の整理符号と共に記録する携帯機器仕様メモリと、該携帯機器に貼付する装飾図形の情報を該装飾図形に固有の整理符号と共に記録する装飾図形メモリと、コンピュータ操作部とを備えるとともに、該操作部には、前記携帯機器仕様メモリに記録されている携帯機器仕様情報を取込み携帯機器の機影を前記画像表示器に表示させる操作手段と、前記装飾図形メモリに記録されている装飾図形情報を取込んで装飾図形を前記画像表示器に表示させる操作手段と、前記画像表示器に表示された装飾図形の大きさや色彩を調整する操作手段と、前記画像表示器に表示されている携帯機器の機影に装飾図形を重ね合わせて装飾画像を画面上で創製する操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置である。
本発明の携帯機器装飾装置によれば、携帯機器に装飾を施すことを希望する顧客は、装飾画像創製装置の携帯機器仕様メモリに記録されている携帯機器仕様情報を取込んで、携帯機器の機影を前記画像表示器に表示させ、装飾図形メモリに記録されている装飾図形の中から装飾を希望する図形を自分で選択して画像表示器に表示し、画像表示器に表示されている携帯機器の機影に、表示された装飾図形の形や色などを調整して重ね合わせて装飾画像を作るので、装飾図形を迅速に創製することができる。また、得られた装飾画像の中の装飾図形部を、携帯機器との実寸法関係、すなわち、装飾画像を創製した時に画面上で示された携帯機器の機影と装飾画像の位置や寸法をそのままに維持した状態、すなわち、印刷された装飾シールを携帯機器に貼付すれば、画像表示器（ディスプレイ）で表示された装飾画像と同じ装飾が施されるような寸法と位置関係で装飾図形貼付用のシートに印刷されるので、携帯機器に簡便に希望の装飾を施す装飾画像シールを得て装飾を施すことができる。
また、本発明は、コンピュータと該コンピュータで得られた装飾図形出力を表示する画像表示器と該コンピュータによって駆動される印刷機とを備え、前記コンピュータには、携帯機器の形状仕様の情報を該携帯機器に固有の整理符号と共に記録する携帯機器仕様メモリと、該携帯機器に貼付する装飾図形の情報を該装飾図形に固有の整理符号と共に記録する装飾図形メモリと、該携帯機器に固有の装飾画像として完成された装飾画像情報を該装飾画像に固有の整理符号と共に記録する装飾画像メモリと、コンピュータ操作部とを備えるとともに該操作部には、前記携帯機器仕様メモリに記録されている携帯機器仕様情報を取込み携帯機器の機影を前記画像表示器に表示させる操作手段と、前記装飾図形メモリに記録されている装飾図形情報を取込んで装飾図形を前記画像表示器に表示させる操作手段と、前記画像表示器に表示された装飾図形の大きさや色彩を調整する操作手段と、前記画像表示器に表示されている携帯機器の機影に装飾図形を重ね合わせて装飾画像を作る操作手段と、携帯機器に固有の装飾画像として完成された装飾画像情報を該装飾画像に固有の整理符号と共に装飾画像メモリに記録する装飾画像記録操作手段と、画像表示器に表示された装飾画像の中の装飾図形の成分を前記印刷機によって携帯機器との実寸法関係を保持して装飾図形貼付用のシートに印刷する操作手段とを有していることを特徴とする。
このような携帯機器装飾装置によれば、携帯機器に装飾を施すことを希望する顧客は、請求項１の発明と同様に、自分で選択した装飾図形を迅速に創製して印刷し、簡便に希望する装飾を施すとともに、創製した装飾画像については、装置に保存されるので、装飾が古くなったり、汚れたときは、同じシールを作成して取り替えることが可能となる。また、別の顧客が装飾画像を創製するときのサンプルにして、同様な装飾画像を一層簡便に創製し、希望の装飾を施すような装置を提供することができる。
また、本発明は、コンピュータと携帯機器の形状仕様や図形等の読取りの機器図形取込み装置と該コンピュータで得られた装飾図形出力を表示する画像表示器と該コンピュータによって駆動される印刷機とを備え、前記コンピュータには、携帯機器の形状仕様の情報を該携帯機器に固有の整理符号と共に記録する携帯機器仕様メモリと、該携帯機器に貼付する装飾図形の情報を該装飾図形に固有の整理符号と共に記録する装飾図形メモリと、コンピュータ操作部とを備えるとともに、前記機器図形取込み装置は、携帯機器の形状仕様を測定しその形状仕様をデジタル情報化する機器仕様の取込み装置を有し、前記コンピュータの操作部には、前記携帯機器仕様メモリに記録されている携帯機器仕様情報を取込んでその機影を前記画像表示器に表示させる操作手段と、前記機器図形取込み装置で得られた携帯機器の形状仕様の情報を該携帯機器に固有の整理符号と共に前記携帯機器仕様メモリに記録させる機器仕様情報の記録手段と、前記装飾図形メモリに記録されている装飾図形情報を取込み装飾図形を前記画像表示器に表示させる操作手段と、前記画像表示器に表示された装飾図形を調整する操作手段と、前記画像表示器に表示されている携帯機器の機影に装飾図形を重ね合わせて装飾画像を作る操作手段と、画像表示器に表示された装飾画像の中の装飾図形の成分を前記印刷機によって携帯機器との実寸法関係を保持して装飾図形貼付用のシートに印刷する操作手段とを有していることを特徴とする。
このような携帯機器装飾装置によれば、携帯機器の外形仕様を取込んで表示画面に表示し、顧客が希望する装飾の画像の創製に供することができるので、これまでに装飾を施したことが前例が無く、メモリにデータがない携帯機器についても、その携帯機器の外形仕様を取込んで表示画面に表示し、顧客が希望する装飾の画像の創製に供することができるので、広く各種の携帯機器の装飾に対応できる。
また、一度取込まれた携帯機器の外形仕様は、以降の装飾画像の創製データとして記録されるので、その後に同様な機器についての装飾を希望する顧客に対して機器データを共有化して、より迅速に装飾画像を創製し、簡便に希望する装飾を施すシールを提供できる。
また、本発明は、コンピュータと携帯機器の形状仕様や図形等を読取る機器図形取込み装置と、携帯機器及び装飾図形情報を画像として表示する画像表示器と、前記コンピュータによって駆動される印刷機とを備え、前記コンピュータには、メモリに記録されている携帯機器の形状仕様の情報を利用して表示画面上に携帯機器の機影を表示する装置と、メモリに記録されている装飾図形情報を利用して表示画面上の装飾図形の調整をする装置と、メモリに記録されている装飾画像情報を利用して携帯機器の機影に装飾図形を重ね合わせた装飾画像を表示画面上に表示する装置とコンピュータの操作部とを備えるとともに、コンピュータの操作部にはメモリに記録されている携帯機器仕様情報及び装飾図形情報或いは装飾画像情報を取込んでその機影及び図形や画像を前記画像表示器に表示させる操作手段と、前記機器図形取込み装置で得られた携帯機器の形状仕様の情報又は図形情報を固有の整理符号と共にメモリに記録させる記録手段と、前記画像表示器に表示された装飾画像または装飾図形の色や大きさを調整する操作手段と、前記画像表示器に表示されている携帯機器の機影に装飾図形を重ね合わせて装飾画像を創製する操作手段と、画像表示器に表示された装飾画像の中の装飾図形の成分を前記印刷機によって携帯機器との実寸法関係を保持して装飾図形貼付用のシートに印刷する手段とを有していることを特徴とする。
このような装飾画像創製装置によれば、顧客が装飾を希望する携帯機器の機影や装飾に利用する図形を、装置内のメモリや外部メモリから取込んで画像表示器の画面上に表示し、表示されている図形や模様の色彩や大きさを画面上で調整して携帯機器の機影上に重ね合わせて装飾画像を作る事ができるので、装飾画像創製装置がこれまでに取り扱った装飾事例を活用しつつ、簡便に携帯機器の装飾をすることができる。
さらにまた、本発明は、上述の携帯機器装飾装置におけるコンピュータが、携帯機器と装飾図形とを重ね合わせた装飾画像を表示している画像表示器に、新たな装飾図形を表示し、この装飾図形を前記装飾画像に重ねて表示させる操作手段と、装飾画像を構成する複数の装飾図形のそれぞれの大きさや色彩を独立して調整する調整操作手段とを有し、携帯機器の機影に複数の装飾図形を重ね合わせて得られた装飾画像の中の装飾図形成分を単一の図形として前記印刷機によって装飾図形貼付用のシートに印刷する操作手段とを有していることを特徴とする。
このような携帯機器装飾装置によれば、上述のような作用に加えて、複数の装飾図形を表示画面上で重ね合わせて装飾画像を創製する作業や、分離して装飾図形の大きさや色調の調整をして、再度、機影に重ね居合わせる作業をすることができるので、装飾画像の創製作業において、一層迅速に顧客の希望に対応することが可能となる。また、一度創製された装飾画像は、以降の装飾画像の創製データとして記録されるので、その後に同様な機器についての装飾を希望する顧客に対してデータを共有化し、より迅速に装飾画像を創製し、簡便に希望する装飾を施すシールを提供できる。
さらにまた、本発明は、コンピュータと機器図形取込み装置と該コンピュータで得られた装飾図形情報を映像画面に表示する画像表示器と該コンピュータによって駆動される印刷機とを備え、前記コンピュータには、携帯機器の外形仕様情報を該携帯機器に固有の整理符号と共に記録する携帯機器仕様メモリと、該携帯機器に貼付する装飾図形の情報を該装飾図形に固有の整理符号と共に記録する装飾図形メモリとを備えるとともに、前記機器図形取込み装置で得られた装飾図形の情報を該装飾図形に固有の整理符号と共に前記装飾図形メモリに記録させる装飾図形情報記録し、前記携帯機器仕様メモリに記録されている携帯機器仕様情報を読取り、携帯機器の機影を前記画像表示器に表示させ、前記装飾図形メモリに記録されている装飾図形情報を読取り装飾図形を前記画像表示器に表示させ、前記画像表示器に表示された装飾図形を調整してあらかじめ画像表示器に表示されている携帯機器の機影に装飾図形を重ね合わせて装飾画像を作り、その後に、画像表示器に表示された装飾画像の中の装飾図形の成分を前記印刷機によって携帯機器との実寸法関係を保持して装飾図形貼付用のシートに印刷して装飾画像シールを創製し、該携装飾画像シールを携帯機器に貼付して創製した画像の装飾をすることを特徴とする。
本発明の携帯機器装飾方法の発明によれば、上述のような携帯機器装飾装置及びこの方法を用いた同様なその他の装飾装置を提供して、顧客が希望する携帯機器に、迅速かつ簡便に個性的な装飾を施すことができる。
【図面の簡単な説明】  図１は、本発明による携帯機器装飾装置の一実施例を示す機器の構成図である。
図２は、本発明による携帯機器装飾装置の一実施例を示すブロック図である。
図３は、本発明の携帯機器装飾装置に使用するコントローラボード一実施例を示すブロック図である。
図４は、本発明の装飾画像創製装置の画像表示器による初期状態の表示の例を示す図である。
図５は、本発明の装飾画像創製装置に使用するメモリ空間の一例を示すメモリマップである。
図６は、本発明の装飾画像創製装置による装飾画像創製のフローチャートの一例を示す図である。
図７は、本発明の装飾画像創製装置による装飾画像創製のフローチャートの一例を示す図である。
図８は、本発明の装飾画像創製装置による装飾画像創製作業時の画像表示器による表示例を示す図である。
図９は、本発明の装飾シールが使用される携帯機器及びその発光装置の一実施例を示す説明図である。
【発明を実施するための最良の形態】  以下、本発明の実施の形態に係る携帯機器装飾装置の一実施例を図面を参照しつつ説明する。
図１に示す携帯機器装飾装置は、顧客の要望に応じて携帯機器に施される装飾画像（単に、装飾画像ともいう）を創製するための装飾画像創製装置１とこの装飾画像創製装置１に電気的に接続されたコントローラボード２、ＣＲＴディスプレイや液晶画像表示器等の画像表示器３、装飾画像を画像貼付用のシートに印刷するインクジェットプリンタ等の印刷機４、顧客が装飾するために持参した携帯機器の外観や外形寸法等を取込む、例えば、スキャナ等の機器図形取込み装置５及び装飾画像を印刷したシートから画像を切取って装飾シールに加工する。
例えば、携帯電話の操作ボタンや表示画面、送受話口部等の携帯機器の機能部（以下単に機能部ともいう）に開口を形成して機能部の表示を見易くしたり、シートが送受話口を塞ぐことによる機能障害を防いだり、或いは、顧客の要望に応じて装飾シールの必要な位置に開口を形成するプロッタ６、装飾画像創製装置１の内部メモリに携帯機器や装飾図形のデータや後述する装飾画像データ或いは装飾画像創製装置１による画像創製作業を進めるための改良された運転プログラムや図形等のデータを供給する外部データ供給装置８等から構成されている。
９は、装飾画像創製装置１に電力を供給する電源スイッチである。なお、上記の構成において、印刷機４とプロッタ６とは同一機体の中に収納された一体型の装置でもよい。
コントローラボード２は、ハウジング１１に、複数のスイッチやキー１２乃至１５を設けた構造を有している。図１のコントローラボード２においては、ハウジング１１の中央下部にタッチ式マウス１２が設けられ、このマウスによって、画像表示器３に表示される装飾図形、或いは携帯機器の機影の大きさや色を変えたり、移動や変形をするなどの調整をする。マウス１２の上側には携帯機器データ用の操作キー１３、装飾図形操作用のキー１４及び装飾画像操作用のキー１５が設けられている。また、マウス１２の左側には、読取り情報を画面に表示する表示キー４１、図形などの大きさや色彩を調整する調整キー４２、装飾図形を移動した利重ね合わせて装飾画像にする画像創製キー４３が設けられ、右側には、メモリから情報を読取る読取りキー４０、メモリに図形情報や画像情報等を記録する記録キー４４、創製された装飾画像をシートに印刷する印刷キー４５が設けられている。
この場合に、薄膜シートに印刷された図形の色は、装飾シールが貼付される携帯機器の機体の色の影響を受けことがある。例えば、携帯機器の外表面（機体）の色が黒や濃紺であれば、白や明るい色の機体の携帯機器に貼付したときと比べて、装飾する図形等の色が暗くなる。携帯機器の機体の色が濃い色の時や、装飾図形等に機器の色の影響を受けないように希望するときは、フィルムに図形等を印刷するインクを不透明インクにする方法もあるが、好ましくは、印刷キー４５を操作するときに、付加操作として、図形等の印刷面に白色の下地印刷を施し、機体の色がフィルムを透過し難くした後に、その下地の上に図形等を印刷できるようにすると良い。
一例として示すこれらのキーは、携帯機器データの操作キー１３を操作して表示画面の表示が携帯機器において操作可能になっているときは、メモリ読取りキー４０は、携帯機器の形状仕様情報をメモリから読取り、４１は、携帯機器を画面に表示し、４２は、携帯機器の大きさや向き、視角などを調整し、４３は、機器図形取込み装置５で取込まれた携帯機器の外形仕様をデジタル情報化し、４４は、携帯機器が表示されている状態に整理符号を付してメモリに記録するキースイッチとして機能する。
一方、装飾図形操作用キー１４を操作して表示画面の表示が装飾図形において操作可能になっているときは、メモリ読取りキー４０は、装飾図形の情報をメモリから読取り、４１は、選ばれた装飾図形を画面に表示し、４２は、装飾図形の色彩や大きさ、図形相互の位置などを調整し、４３は、調整されて画面に表示されている装飾図形を同じ画面に表示されている携帯機器の機影や装飾画像に重ねて新しい装飾画像を創製し、４４は、機器図形取込み装置５で取込まれた装飾図形や調整されて画面に表示されている装飾図形に整理符号を付してメモリに記録するキースイッチとして機能する。
また、装飾画像操作用キー１５を操作して表示画面の表示が装飾画像において操作可能になっているときは、メモリ読取りキー４０は、装飾画像の情報をメモリから読取り、４１は、選ばれた装飾画像を画面に表示し、４２は、装飾画像中の図形の色彩や大きさ、図形相互の位置或いは、機影を調整し、４４は、装飾図形が表示されている状態に整理符号を付してメモリに記録するキースイッチとして機能する。
なお、これらのキーは、押しボタン式でもスイッチ形態のキースイッチなど、いずれでも良く、制御信号を送信して携帯機器の形状仕様の情報の取込みや記録、装飾図形の取込みや記録、装飾画像の取込みや記録をする機能が付与される構造であれば、いずれの構造のキースイッチでも使用可能である。
また、コントローラボード２は、装飾画像創製装置１に着脱自在に接続される構造を有しておれば、専用コントローラボード２である必要はない。例えば、テンキーだけの汎用のキーボード（図示省略）であっても、１０個の各キーごとに機能を割振れば、本発明の装飾画像創製に使用することできる。
コントローラボード２と装飾画像創製装置本体１との接続は、電気ケーブルを用いているが、本発明のように、顧客と相対しながら装飾画像を創製する装置においては、ケーブルやコードを用いないで、光の送信と受信をする光通信コネクタを用いる方が好ましい。
光で信号やデータの受発信ができる信号図形の設けられたコントローラボード２を使用する方が、装飾画像創製装置１周辺での顧客や装飾画像創製装置１を操作する者の行動範囲が広がり、装飾画像の創製操作や作業が容易になるからである。
また、図示は省略されているが、コントローラボード用コネクタを複数設けて、２台のコントローラボード２をコネクタに接続し、顧客と装置の取扱者とが、共同して装飾画像の創製をするようにすることもできる。また、この装飾シールの製造装置を顧客が単独で操作をして好みの装飾シールを創製するような装置にしても良い。
画像表示器３には、ＣＲＴ、液晶画面や投射映像装置等が用いられ、携帯機器の機影、模様となる景色や人気キャラクタ、模様や図柄、顧客が持参した写真やカメラやスキャナで取込んだ装飾図形を表示したり或いは携帯機器に装飾図形を重ね合わせて得られた装飾画像等を表示する。
機器図形取込み装置５には、例えば、カメラやスキャナが用いられる。機器図形取込み装置は、印刷物の図面を取込むだけでなく、取込みバー３８を移動型にして、顧客が持参する携帯機器が立体型のときでも、機器の外観や図形の読取り、機器についてはその外観や形状寸法を取込めるような構造が望ましい。機器図形取込み装置５に取込まれた携帯機器の外観形状については、その形状をデジタル情報に変換し、形状仕様の情報に置換する、例えば、アナログ／デジタル変換機構を有していることが好ましく、装置５に無いときは、装飾画像創製装置１にアナログ／デジタル変換機構を付属させておくことが必要である。
さらに、装飾画像創製装置１には、携帯機器の外観や形状寸法のデータをプロッタの操作データに置換し、例えば、装飾画像を印刷したシートから画像部分を切取って装飾シールに加工したり、携帯電話の操作ボタンや表示画面、送受話口等、携帯機器の機能部に装飾画像フィルムがかぶさらないように開口を形成する外形トレースライン設定機構等を有していることが必要である。
前述したように、装飾図形には、いわゆる、図形、図柄、模様、漫画やアニメのキャラクタ、背景写真、顧客が持ち込むその他の写真や図柄等各種のものがあり、これらの図形等を用いて携帯機器への装飾が施される。
機器図形取込み装置５が、図形等を取込むときは、機器の外観や形状寸法データを測定して取込むモードとは異なった取込みモードに切替えて、細密度を上げて図形などの色調や図柄等を取込めるような機構を有していれば、装飾画像の調整加工時にもその画像に歪が生じにくくなるので装飾画像創製の点で好ましい。
外部データ供給装置８からは、装飾図形やこれまでに装飾を施した前例のある携帯機器の外観や形状寸法、装飾画像のデータ等が装飾画像創製装置１供給される。
装飾画像創製装置１は、必要に応じて、カートリッジ形のメモリ、或いは、外部データ供給装置８に記録されている図形や装飾データ、或いは、装飾画像創製のためのプログラムなどを通信ネットワーク経由で取り込み、装飾画像創製装置１の機能のバージョンアップや蓄積データ量の増強を図り、他の装飾画像創製装置と装飾図形や装飾画像のデータの共有化を図ることができる。
このような外部メモリとしては、簡易なものでは、例えば、ＲＯＭカートリッジがあるが、その他に、ＣＤ（コンパクトディスク）、ＭＤ（ミニディスク）、ＭＯ（光磁気ディスク）、スティックメモリ等の各種のメモリ（以下単に記録媒体ともいう）を駆動する装置を装着して、これらの記録媒体からデータの交換やプログラムの共有化を図るようにしても良い。
外部データ供給装置８に使用されるメモリ、或いは、後述する装飾画像創製装置１に備えられたメモリの中は、例えば、図５に一例を示すように、機体外観、形状仕様メモリ領域Ｍ１、装飾図形情報メモリ領域Ｍ２、装飾画像情報メモリ領域Ｍ３、取込み図形情報一時メモリ領域Ｍ４、取込み機器情報一時メモリ領域Ｍ５、装飾画像情報一時メモリ領域Ｍ６、画像創製作業プログラム領域Ｍ７、作業用メモリ領域Ｍ８、レジスタフラグ領域Ｍ９などの記録領域を有している。
プログラム領域Ｍ７は、装飾図形から装飾画像の創製処理をするためのプログラムを記録した領域であり、装飾画像創製装置１に新しい装飾画像創製の機能が追加されたり、改良されたときには、その機能を他の場所に設置してある同様な装飾画像創製装置１でも、同様な画像創製機能を有するように、外部メモリや通信媒体を通じて作業プログラムを共有化させて、装飾画像創製装置１による装飾画像の創製をより簡便、かつ、迅速に行えるように、最新のプログラムに更新して記録し、提供する機構にも用いられる。
装飾図形メモリ領域Ｍ２には、種々の態様の装飾図形に関するデータが整理符号と共に予め記録され、装飾画像メモリ領域Ｍ３には、装飾画像の創製作業によって完成された各携帯機器に固有の装飾画像情報が、それぞれ固有の整理符号と共に記録されている。
また、機体外観、形状仕様メモリ領域Ｍ１、装飾図形情報メモリ領域Ｍ２、装飾画像情報メモリ領域Ｍ３には、各地の店に配置された装飾画像創製装置１で取込まれた携帯機器の形状データや装飾図形情報のデータ或いは、装飾画像創製装置で創製された装飾画像データがその図形や機器或いは装飾画像に固有の整理符号と共に記録される等、以降の装飾画像の創製作業を能率的に進めるのに適した形でデータ等を記録している。
１０は、データ供給装置８から画像創製作業の最新の運転プログラムを受取ったり、装飾画像や装飾図形或いは、機器データ等の情報を同様な他の場所等に設置された装飾画像創製装置（図示省略）とやり取りしたり、該創製装置１の機能を増大する際に使用するバージョンアップの制御プログラムの授受を行うためのコネクタである。
コネクタ１０は、例えば、ＵＳＢ（Ｕｎｉｖｅｒｓａｌ  Ｓｅｒｉａｌ  Ｂｕｓ）コネクタ端子のように、種々のメモリ装置を適宜接続できるコネクタ端子を備え、該端子１０を用いて、ＵＳＢ対応の送受信機器や外部メモリが適宜接続されて装飾用の図形や携帯機器の仕様データ等の必要なデータ或いは画像創製のためのプログラムを取込めるようになっている。
図２は、本発明による携帯機器装飾装置の一実施例を示すブロック図である。携帯機器装飾を創製する装飾画像の創製装置１には、中央処理ユニット１６（以下、ＣＰＵという）とバス制御回路１７と、このバス制御回路１７に接続されるコネク１０、１８、１９、２０、２１、２２、２３及び装飾画像メモリ７、携帯機器形状仕様メモリ２４、装飾図形メモリ２５、一時メモリ２６、プログラムメモリ２７、等のメモリ又は、これらのメモリ領域を有するメモリが備えられている。
コネクタ１８には、コントローラボード２、コネクタ１９には画像表示器３、コネクタ２０には印刷機４、コネクタ２１には機器図形取込み装置５、コネクタ２２には、プロッタ６がそれぞれ接続されて、電気的な信号の授受が行なわれる。
コネクタ１０は、上述したように、種々の外付けのデータ供給装置８やコントローラパックを着脱自在に装着したり接続するためのコネクタとして示してあるが、通信ネットワーク装置２８の通信ポートを取付け、該ポートを介して、同様なその他の装飾画像創製装置（図示省略）などの外部機器や装置３９に接続するようにしても良い。
また、コネクタ２３には、必要に応じて符号読取装置（バーコードリーダ）２９が接続される。符号読取装置２９は、装飾画像をシートに印刷するときに、付属して印刷された装飾画像に固有の整理符号やその整理符号を表すバーコードを読取るために用いられる。
装飾画像創製装置１に内蔵されたＣＰＵ１６は、装飾画像創製のための作業プログラムをあらかじめ内蔵してあり、このプログラムからの信号に従って装置の電源投入時に、まず、データメモリである装飾画像装置に内蔵されているメモリ７、２４乃至２７や外部データ供給装置８或いは、相互に通信ネットワークで接続されているその他の外部機器や装置３９（以下これらを総称して単にデータメモリともいう）から、最新の制御プログラムと必要な装飾図形や装飾画像のデータを得る。
もっとも、装飾画像創製装置１の内蔵メモリに記録されている装飾図形の情報や携帯機器の情報、例えば、携帯機器の外観や形状寸法や携帯機器の表示窓、操作ボタン等の機能部の位置或いは、その形状のデータは、必要に応じてコントローラボード２から入力される操作信号に従って、ＣＰＵに取込むようにしてもよい。
さらに又、上述したように、コントローラボード２の操作キー１３、１４から信号に従って機器図形取込み装置５を介して得られた携帯機器仕様の情報や図形情報を基に、顧客が希望する図形や携帯機器の機影を適宜、画像表示器３に表示する。
また、ＣＰＵ１６は、機器図形取込み装置５で取込んだ図形情報や携帯機器の形状寸法データ或いは創製された装飾画像にそれぞれ、図形や携帯機器或いは装飾画像に固有の整理符号を付して一時メモリ２６や対応するメモリ領域に記憶させる。
逆に、符号読取装置２９で読み取られた整理符号に対応する図形や携帯機器の機影或いは装飾画像を画像表示器３に表示させる。
さらに、ＣＰＵ１６は、画像表示器３上で調整され、創製された装飾画像について、装飾画像の創製を完了し、創製された装飾画像を画像表示器３に表示し、コントローラボード２からの操作キー信号に応じて、印刷機４を作動させて画像貼付用のシートに装飾画像を印刷し、これによって、携帯機器装飾用の画像シール創製が完了する。
このとき、画像表示器３に表示されている装飾用の図形等の色が携帯機器の本体の色の影響を受けたり図形等の印象が変えられているときは、図形等を印刷するフィルム部分に白色やクリーム色等の下地印刷を施して携帯機器の機体の色がフィルムを透過し難くし、その下地の上に図形等を印刷する、或いは、これらの色の不透明インクで下地インク層を形成しながら逐次図形等の印刷をすることにより、濃い色の外形色の携帯機器に貼付するときでも、装飾画像の色の変化を極力抑制し、顧客が期待する図形等の色彩を忠実に再現して装飾することが可能な装飾シールを提供することができる。
このようにして作られる、本発明の装飾画像シールの基材には、例えば、透明で薄い樹脂フィルムに粘着剤を塗布し、この粘着剤によって剥離紙に貼付されたシートが用いられる。樹脂フィルムとしては、塩化ビニル、ポリエチレン、ポリプロピレン、ＰＥＴ（ポリエチレンテレフタレート）等にステアリン酸等の柔軟剤を混ぜて延性と展性とを付与した後におよそ、０．０２乃至０．００２ｍｍの厚みに加工されたフィルム（以下では透明樹脂フィルムともいう）が用いられる。この透明樹脂フィルムは、折り曲げや引き延ばしになじみ易い半面、フィルム単体では、厚みが薄過ぎて、装飾図形を印刷し、切取って装飾画像シールに加工することが困難であり、また、この装飾画像シールを携帯機器に貼付する作業をするときも扱いが難しい。
本発明においては、透明樹脂フィルムは、その片面に粘着剤を塗布し、粘着剤によって剥離紙に貼付された状態で取り扱われ、携帯機器に装飾画像シールを貼付するまで、剥離紙とフィルムとを一体にしたシート（以下単にシートともいう）の状態で作業が進められる。
例えば、創製された装飾用の図形等をフィルムに印刷する作業、図形等が印刷された薄膜シートの各部が装飾を施す機器の形や凹凸部に適合するように加工する作業、装飾シールを機器の外表面へ貼付する作業或いは携帯機器の外表面に発光装置が取付けられるときは、装飾シールで発光装置の表面を保護したり、シールと機体の間に発光装置を挟さむようにして装飾シールを貼ることにより、発光装置を取り付ける等の作業（これをまとめて発光装置を覆う作業とも言う）などは、剥離紙にフィルムを貼付した状態で作業が進められる。
ＣＰＵ１６はプログラムに従って印刷機４に制御信号を送り、装飾画像の印刷後に、携帯機器の大きさに切取り、装飾画像シールに完成させる。また、顧客からの要望があれば、携帯機器の操作ボタンや表示窓など、携帯機器の機能部に位置する部分についても、プロッタ６によって、機能部に装飾画像が重ならないようにする孔があけられる。
なお、プログラムメモリ２７には、上述のようなＣＰＵによるメモリへの記録や画像などの画像表示器３への表示或いは印刷などの他に、コントローラボード２からの信号によって、選択された装飾図形や携帯機器の機影を画像表示器３上に表示しつつ、表示されている図形をマウス１２の操作に応じて拡大したり、縮小したり、色調や彩度を変えるなどの調整をし、かつ、この調整された図形を携帯機器の機影に重ね合わせることにより、画像表示器３の上で、携帯機器の装飾画像を創製する作業を遂行させるように装飾画像創製装置１を機能させるプログラムを有している。
バス制御回路１７は、ＣＰＵ１６と外部データ供給装置８、コントローラボード２、機器図形取込み装置５、符号読取装置２９等の周辺装置との間の信号の整合を図って両者の円滑な信号及びデータのやり取りや、ＣＰＵ１６の指示によって、画像表示器３や印刷機４に携帯槻器の機影や図形等の表示をする制御、装飾画像の印刷やシートのカッテイング運転をするために必要なデータを制御しながら送り、それぞれの装置を秩序だって作動させるように信号を制御する回路である。
また、バス制御回路１７は、コントローラボード２や周辺の関連装置から入力された信号やデータを、ＣＰＵ１６側へ送る機能も有している。コントローラボード２から受取った操作信号や機器図形取込み装置５や符号読取装置２９から取込まれたデータは、ＣＰＵ１６内の一時メモリ２６によって、メモリの消去の指示があるまで、記録され続ける。
また、バス制御回路１７は、携帯機器形状仕様メモリ２４、装飾図形メモリ２５、一時メモリ２６の情報を基にして、ＣＰＵ１６で処理され完成された画像データを再び、バス制御回路１７を介して、ＣＰＵ１６から指示のあった携帯機器の装飾画像として画像メモリ７に記録するなど、ＣＰＵ１６やメモリと創製装置に接続された機器２、３、４、５、６、３９との間の信号やデータの授受の制御に使用される。
図３は、コントローラボード２の内部構造の一実施例を示すブロック図である。コントローラボード２は、図１に示したように、ハウジング１１に、マウス１２、携帯機器データの操作キー１３、装飾図形操作用キー１４、装飾画像操作用キー１５、その他の切替キー４０乃至４５を備えている。
ハウジング１１内には、操作信号制御回路３０、送信回路３１、受信回路３２、信号変換回路３３等が内蔵されている。これら操作信号制御回路３０、送信回路３１、受信回路３２は、信号変換回路３３を介して、電気信号的に、装飾画像創製装置１に接続されている。
マウス１２は、ハウジング１１の内部の配線を介して２軸パルス制御回路３４に接続され、携帯機器データの操作キー１３、装飾図形操作用キー１４、装飾画像操作用キー１５は、それぞれハウジング１１内の配線を介してキー信号検出回路３５に接続されている。
操作信号制御回路３０はこれらのマウス１２やキー操作によって生じる装飾画像の創製に必要な信号を装飾画像創製装置１へ転送するための信号処理をする。
マウス１２にタッチ式マウスを用いるときは、例えば、指先でタッチした位置によってＸ軸とＹ軸に分解して、Ｘ軸とＹ軸との距離に比例したパルス数を発生させ、それぞれのパルス信号を２軸パルス制御回路３４に伝える。
このＸＹ信号は、装飾画像創製装置１を経て、これに接続された画像表示器３に表示されている機影、図形や画像、写真等を画面上でＸＹ方向に移動させる。
また、マウス１２は、画像表示器３に装飾用の図形や模様が表示された装飾図形の加工の状態或いは携帯機器の機影が画像表示器３に表示されている装飾画像の創製作業状態においては、画像表示器３に表示されている装飾図形や模様の色彩の変更や調整、図形の拡大や縮小或いは個々の図形や模様の配置の相互間隔の調整、或いは、機体に図形や模様等を貼付する位置や配置の調整（これらを総称して単に、調整ともいう）にも使用される。
換言すれば、マウス１２の操作は、装飾図形の色彩や大きさを変えたり、このようにして加工された装飾図形を画面上で移動したり、画像表示器３に表示されている携帯機器の位置や表示されている外観を変えて、装飾する携帯機器との関係を見つつ、顧客の希望する装飾画像を創製して携帯機器に装飾をする表示作業に用いられる。
機器データの操作キー１３は、画像表示器３に表示されている画像を装飾図形や装飾画像の表示から携帯機器の機影表示のモードに切替える操作キースイッチである。機影表示のモードにおいては、マウス１２の操作は、データメモリから携帯機器データを取込んで顧客が希望する携帯機器を画像表示器３上に表示させる作業、その機影の大きさを装飾画像の創製に適した大きさに変えて装飾画像の創製の準備をしたり、機影の向きを変えて装飾画像が携帯機器の各面にどのように配されて装飾されるかのイメージを種々の角度から顧客に示して装飾画像の完成状態を表示する作業となる。また、マウス１２の操作は、機器図形取込み装置５を作動させて取込まれた機器の形状仕様の情報を、機影と共に画像表示器３に表示して、この装飾画像創製装置１に使用できる機器データに加工して新しい携帯機器データとしてメモリに記録する指示をしたりすることにも使われる。
装飾図形操作用キー１４は、画像表示器３に表示されている画像を携帯機器の機影表示や装飾画像の表示から装飾図形の表示のモードに切替える操作スイッチである。このモードにおいては、マウス１２の操作は、顧客が携帯機器の装飾に使用したいと希望する図形や模様をデータメモリから取込んで画像表示器３上に表示させ、その図形や模様の大きさや色彩を携帯機器の色や機能部との関係で調整したり、画像表示器３に表示されている図形や模様の中の一部の図形や模様を拡大したり縮小して装飾画像の創製にかなった図形や模様に加工したり、携帯機器の上下左右等の面にどのような装飾図形をどのような色彩と大きさで配するかに関し、およそのイメージを顧客の要望に応じて表示して装飾画像の創製の準備をする作業になる。また、マウス１２の操作は、機器図形取込み装置５を作動させて顧客が希望したり持参してきた新しい図形や写真を取込み、得られた図形を画像表示器３に表示して、この装飾画像創製装置１に使用できる形に加工して新しい装飾用図形情報としてメモリに記録する指示をしたりすることにも使われる。
装飾画像操作用キー１５は、画像表示器３に表示されている画像を装飾図形や携帯機器の機影表示のモードから装飾画像の表示モードに切替える操作スイッチである。このモードにおいては、画像表示器３に表示されている携帯機器の機影と装飾画像中の装飾図形をマウス１２の操作によって、適宜加工できるモードである。このモードにおいては、顧客が携帯機器の装飾に使用したいと希望して画像表示器３の上に表示された図形や模様を、マウス１２の操作によって、携帯機器の機影に重ねたり、重ねる位置を変えたり、希望に応じてその図形や模様の大きさや色彩を携帯機器の色や機能部との関係で調整しながら再度、機影に重ねつつ、画像表示器３の画面上で仮想的に顧客が希望する装飾画像を創製するものである。
このようにして携帯機器の一つの面の装飾画像が完成したら、携帯機器データ操作用キー１３を操作して機影の向きを変えた後、再び装飾画像操作用キーを１５を操作して、その機影に対して顧客が希望する図形や模様の加工を、上述したと同様なマウス１２の操作で行ない、その面での装飾画像の創製を行なう。
顧客が希望する装飾画像の創製が携帯機器の各面で終われば、装飾画像の創製の作業が仮に終了し、この画像データは一時メモリ２６に記録される。
この後、再び、携帯機器データの操作用キー１３を操作して、携帯機器の向きを画像表示器３上で変えて装飾画像が携帯機器の各面にどのように配されて装飾されているか、創製された装飾の結果を種々の角度から顧客に示す。
携帯機器に希望の装飾が施されていることが確認されたら、装飾画像の創製作業が完了し、完成された新しい装飾画像は、新しい装飾画像データとして装飾画像メモリ７に記録される。
なお、装飾画像用の操作キースイッチ１５は、装飾画像のデータを外部データ供給装置８等のデータメモリから取込んだり、そのデータから装飾画像を画像表示器３上に表示させたり、表示された装飾画像の大きさや色調を調整したり、回転移動させて表示されている携帯機器の機影と装飾画像とを全体的に画像表示器３上へ表示させたり、携帯機器に装飾画像を貼付するためのシートに印刷をするためにも用いられる。
このような携帯機器データの操作キー１３、装飾図形操作用キー１４や装飾画像操作用キー１５は、説明をわかりやすくするために各独立した操作キーとして図示して説明をしたが、一つの操作用キースイッチが上記した携帯機器データの操作キーの機能、装飾図形操作の機能、装飾画像操作の機能を持つように構成し、各機能を切替えスイッチ（図示省略）によって切換えるように構成した態様でも、上述した装飾画像の創製をすることができる。
或いはまた、メモリに納められた画像の創製プログラムによって、適宜、これらのキースイッチの機能を変更したり、マウス１２に上述したキースイッチの種々の機能を共用化させ、より少ない数の操作用のキーの操作とマウス１２の操作によって装飾図形や携帯機器の図形の調整や移動をしながら装飾画像の創製をすることもできる。
このような装飾画像創製装置１において、電源スイッチ９が入れられて、該装置の作動が始まった初期状態では、装飾画像創製装置１は、画像表示器３上に、宣伝用の装飾図形または装飾画像サンプルと、操作キーの使用方法のガイドを、例えば、図４のような画面表示を画像表示器３に表示する。
このとき、装飾画像創製装置１のＣＰＵ１６は、コントローラボード２に信号を出し、コントローラボード２からのキー操作信号を待つ状態になる。
一方、操作信号制御装置３０は、装飾画像創製装置１から一定周期ごとに与えられるコマンドに応答して、コントローラボード２のキーやマウスからの信号を取込み、装飾画像創製装置１に与える。
この装飾画像創製装置１からの信号を待つという信号待機の状態は、例えば、コネクタ３６、コネクタ３７を介して信号変換回路３３に受信される。信号変換回路３３は、装飾画像創製装置１からの待機信号を受信回路３２経由で操作信号制御回路３０に送信する。
操作信号制御回路３０は、装飾画像創製装置１からの信号を受け、マウス１２、携帯機器データの操作キー１３、装飾図形操作用キー１４、装飾画像操作用キー１５等の操作信号を待機する状態になる。同時に、操作信号制御回路３０は、装飾画像創製装置１が受信できる信号の内容を判断して、キー信号検出回路３５に対して、どのキーからの信号を受信するかの指示信号を送る。
また、２軸パルス制御回路３４に対しても、マウス１２からの信号を受信する状態にあるか否かの信号を送り、装飾画像創製装置１が装飾画像創製の作業を開始するために待機する信号または、装飾画像創製装置１から指示された内容に一致した信号が、マウスやキーから送られてきたときにその信号を受取る状態にあることを指示しつつ、その信号を待機する。
２軸パルス制御回路３４は、マウス１２から、操作信号制御回路３０からの指示信号に従った信号が得られたときにその信号を操作信号制御装置に送り、キー信号検出回路３５は、携帯機器データの操作キー１３、装飾図形操作用キー１４、装飾画像操作用キー１５等の操作によって生じた信号が、操作信号制御回路３０からの指示信号に従った信号であるときに、そのキー信号を、操作信号制御回路３０に送るので、誤操作や誤動作信号が装飾画像創製装置１に送られることは極力避けられる。
操作信号制御回路３０は、マウスや操作キーから受取った信号が、装飾画像創製装置１から受けた指示に合致した信号であることを判断して、その制御信号や図形データ信号を送信回路３１、信号変換回路３３経由で装飾画像創製装置１に送信する。
信号変換回路３３は、このような装飾画像創製装置１とコントローラボード２との間の信号の授受において、送信回路３１から受取った信号を装飾画像創製装置１が受信できるような信号に変換したり、装飾画像創製装置１からの信号を受信回路３２が受取れるような信号に変換すると同時に信号の受発信の順序を整えて混信を防ぐように機能する装置である。
信号変換回路３３は、また、信号の同期や通信プロトコルの整合性を取り、例えば、装飾画像創製装置１とコントローラボード２が光通信で接続されているときは、信号変換回路３３はコントローラボード２と装飾画像創製装置１が光電気的に信号の授受ができるように、信号変換回路３３の発信信号及び信号の受信手順を変換する。
また、装飾画像創製装置１が特殊な信号受発信手順を使用しているときは、その手順に従って信号を変換し、顧客の希望や装飾画像創製装置１の操作者の意思がコントローラボード２を介して装飾画像創製装置１に伝えられるようにする。
このようにして、装飾画像創製装置１は、後述するような手順で、で顧客が希望する携帯機器の装飾画像を簡便かつ迅速に創製し装飾画像シールにした後、顧客が持参した携帯機器に貼付して、好みの装飾を施すことができる
次に、本発明の装飾画像創製装置によって行なわれる装飾図形情報や携帯機器情報の処理及び装飾画像の創製作業並びに完成された装飾画像が装飾画像シールとして印刷されるまでの処理について、装飾画像創製の作業手順を示すフローチャート（図６及び図７）を参照しつつ説明をする。
装飾画像創製装置１を使用する作業者は、顧客から装飾画像の創製依頼を受け、装置の電源スイッチ９を入れることにより、装飾画像創製装置の運転を開始する。
図６において、ステップＳ１は電源スイッチ９を入れることにより、装飾画像創製装置１が作動を開始するためにハード機器をスタートするステップを示す。
これにより、運転を制御するプログラムやデータは、必要に応じてデータメモリからＣＰＵ１６に取込まれ、ステップＳ２に進む。ステップＳ２は、携帯機器の装飾に関する図形や携帯機器に装飾を施した装飾画像の実例を画像表示器３の画面に表示しながら、コントローラボード２から、次の操作入力、装飾画像創製の具体的な操作開始の入力を待つステップである。
ステップＳ２における画面表示は、例えば、図４で示すような表示である。装飾図形のサンプル及び携帯機器別の装飾画像のガイドが画像表示器画面の左右に表示される。このステップＳ２では、装飾画像創製装置１で装飾画像を創製するときに利用できる図形等のサンプルや携帯機器に装飾した装飾画像の例を、実例として画像表示器に表示し、装飾画像作成を顧客に呼びかける宣伝をすることもできる。
図４に一例として示す装飾図形のサンプル表示は、装飾を施した携帯機器の機影Ｆ１ばかりでなく、装飾画像として使用できるデータとして、装飾画像創製装置がデータメモリに有している図形の例を、単一図形Ｆ２、模様図形Ｆ３、キャラクタ図形Ｆ４、写真Ｆ５、特殊図形Ｆ６等の形で画像表示器画面の左側に示されている。
画面中央の携帯機器装飾の実例を宣伝に用いる時は、その装飾をほどこした携帯機器と共に適宜、装飾の表示を切替えて表示されるようにプログラムが構成されていることが好ましい。図４の画面表示において、コントローラボード２から、キー操作信号の入力があれば、ステップＳ３に進み顧客が関心のある装飾図形の表示をする。
ステップＳ３は、ステップＳ２の初期の画面表示を更に詳細に表示したり、装飾画像創製の作業に移るための処理入力をコントローラボード２から行なうステップである。
ステップＳ２の表示によって、顧客が装飾画像の創製や画像の詳細に関心をもったときは、顧客からの希望に応じてコントローラボード２のキー操作をして、例えば、図４の画面の左のサムネール形式で表示されているサンプル図形をクリックしてその類型の図形等をプルダウンメニューによって次々と表示させたり、図形等の中から選ばれた図形等を拡大して画面に表示Ｆ７したりする。
また、コントローラボードのマウス１２を操作して、ポインタＦ９を表示画面の右のツリー構造の形式で表示されている携帯機器のいずれかに合わせてクリックをすると、顧客が装飾を希望する携帯機器に装飾が施された実例を表示画面の中央に表示させる。例えば、図４におけるＦ１は、携帯機器として携帯電話を選んでクリックしたときの画像表示器３の画面表示の一例を示しており、携帯電話に装飾を施した実例が、イメージとして画面上で紹介される。この実例は、装飾画像創製装置１の装飾画像メモリ７又はデータメモリに記録されている携帯電話の装飾実例を読取って、順次表示され、この実例画像も、マウスの操作によって駆動クリックした後に、拡大したり、向きを変えたりすることができ、そのような操作のプログラムは、画像創製のためのプログラムの中にその一部として組まれている。
表示された装飾画像の中に顧客の好みのサンプルがあれば、上述したＦ２乃至Ｆ６のサンプル図形や画面中央の携帯機器装飾の実例Ｆ１やツリー形式で表示されている携帯機器の製品別の装飾例Ｆ８の映像表示を消去して、好みの装飾画像や装飾実例だけを画像表示器の画面全体に拡大して示す等（図示省略）して、顧客が希望する図形や画像の詳細や携帯機器に施した装飾の実例を適宜表示することも行なわれる。
装飾実例サンプルによる装飾図形や装飾された携帯機器の表示等において、顧客が装飾画像や装飾シールの創製を希望するときは、装飾画像創製の作業に移るための入力をコントローラボードから行ない、ステップＳ４に進む。
ステップＳ４では、例えば、パスワードの入力等、装飾画像創製装置による装飾画像の創製作業を開始する入力がなされたことを判断するステップである。
パスワード等の入力やシール製造装置の使用料金（顧客がシール製造装置を自分で操作をして装飾シールを作成する場合）の支払が行なわれると、画像創製処理スタートのステップＳ５に進む。一方、パスワードの入力がないときは、ステップＳ６に進む。
ステップＳ５は装飾画像の創製作業を開始するステップである。ステップＳ５では、例えば、図８のような画像表示を行ないながら、マウス１２やコントローラボードのキー操作によって、顧客の希望に応じた装飾図形や装飾画像サンプルの選択を行ない、サンプルを参考にして顧客の希望する携帯機器の装飾作業を開始する。
例えば、図８に示すような画像表示器３の表示においては、顧客が装飾を希望する携帯機器の画像と装飾図形が表示されており、画面の左にサムネール形式で表示されているサンプル図形は、装飾図形や装飾用の模様のサンプルがデータメモリから読取られて順次表示されるので、マウスのポインタＦ９を移動させて、顧客が希望する装飾図形を選択して、その図形Ｆ１０をクリックすると、その図形表示が反転して加工可能な状態（駆動状態ともいう）になるので、これを画面の中央にドラッグアンドドロップすると、この図形Ｆ１１は、マウス１２によって色彩や形の調整ができるようになる。
マウス１２による図形Ｆ１１の調整は、図形等の色彩の変更や調整、図形の拡大や縮小或いは個々の図形や模様の配置の相互間隔の調整である。調整を終った図形等Ｆ１１は、機体の装飾に必要な部分をマウスのポインタＦ９で囲って駆動状態にした後、表示画面上に表示されている携帯機器の機影Ｆ１２の上にドラッグして移動し、図形や模様の位置決めをしてから図形等の駆動状態を外して通常の表示状態にすれば、携帯機器に装飾を施したと同様な状態を画面上に表示することができる。
仮に、装飾を希望する携帯機器のデータが、携帯機器形状仕様メモリ２４の中に記録されていないときや、装飾図形メモリ２５中に顧客が希望する図形等がないときは、新しい携帯機器や図形等を機器図形取込み装置５で取込み、一時メモリ２６に記録する。一時メモリ２６に記録された後は、データメモリに記録されていた携帯機器や他の装飾用の図形等と同様に画面の左にサンプルとして表示されて使用可能になる。
ステップＳ６は、ステップＳ４におけるパスワードの入力を待機するステップである。ステップＳ４において、パスワード等の入力があるまでは、ステップＳ６に留まる。ステップＳ６は、一定時間経過ごとに、ステップＳ４に、戻って再びパスワードの入力を待つ。入力待機のルーチンである。このルーチンにおいて、設定時間内にパスワードの入力がない（ステップＳ６において、設定時間が経過する）ときは、ステップＳ２に戻り、画像表示器の表示は再び、例えば、図４に示すような初期画面表示になり、新しい顧客による装飾画像の創製のアクセスを待つようになる。
ステップＳ７は、顧客の希望する装飾画像が装飾画像創製装置のメモリ中にあるときに既存の装飾画像をそのままに使用するか、そのままに使用しないかの判断をするステップである。装飾画像創製装置のメモリ中に、顧客が持参した携帯機器と同じ機器に装飾を施した例があって、これをサンプルにした装飾画像メモリ７中の装飾画像を顧客が利用する希望であれば、装飾画像の創製は簡単になる。例えば、顧客がメモリ中の携帯機器の装飾画像のサンプルをそのまま使用する希望のときは、コントローラボードからのキー入力によって、希望する装飾画像が画面に表示されるので、ステップＳ８に進む。このステップＳ７で既存の装飾画像を使用しないときは、ステップＳ１０に進む。
ステップＳ８は、画像表示器画面において表示されている装飾画像中の携帯機器の機影を除いた装飾画像部分のみを、携帯機器との実寸法関係を維持して、薄膜シートに印刷するステップである。
このような寸法関係で印刷された装飾シールの図形等は、携帯機器の外形仕様の実際の寸法を基準にしてこの外形仕様に合致した大きさの図形等として印刷されているので、そのまま携帯機器に貼付することができる。ステップＳ８では、例えば、携帯機器の機能部に開口を形成した装飾シールにするために、プロッタ６を作動させて薄膜シートに穴加工や切り込み加工が施し、装飾用の図形等が印刷されて機器の外表面に貼付される装飾シートが機器の形や凹凸部或いは開口部に適合して装飾加工ができるように調製する作業も含まれており、これにより顧客が選択した装飾画像を、顧客の携帯機器にそのまま貼付できるように加工された装飾シールが完成される。
なお、装飾画像創製装置１を用いて創製された装飾画像を透明樹脂フィルムに印刷する時は、透明樹脂フィルムが剥離紙に貼付された状態で印刷機による印刷が行われる。また、画像が印刷された透明樹脂フィルムを切取って携帯機器に貼付するに適した形状の装飾シールにしたり、機能部に開口を設けるときも、透明フィルムが剥離紙に貼付された状態でプロッタによる加工が行なわれる。
加工された装飾画像シールは、その場で顧客の携帯機器に貼付して渡され、顧客が希望する装飾画像の創製作業が終了する（ステップＳ９）。
完成された装飾画像シールを携帯機器に貼付するときは、透明フィルムが貼られている剥離紙を利用して携帯機器に画像フィルムを貼るときの位置決めをする。
この後、剥離紙をはがしつつ、印刷したフィルムを携帯機器に貼ると、剥離紙が透明樹脂フィルムからはがされた時は、携帯機器に装飾画像を貼付する作業は、ほぼ終了し、仕上げとして貼り付けられたフィルムを少し加熱しながら細部の貼付けや携帯機器の局面部の貼付け作業をして携帯機器の装飾作業が完了する。
画像を貼付する装飾作業の仕上げ加工は、機器の外表面に貼付された薄膜フィルムを軽く加熱しながら押圧して機器の凹凸部或いは開口部になじませ、細部の貼付けや携帯機器の局面部の貼付け作業によって完了するので、顧客の機器への装飾は、顧客から依頼を受けたその場で、顧客が希望する画像の装飾を施して渡すことができ、顧客が希望する機器の装飾作業が終了する（ステップＳ９）。
ステップＳ１０は、装飾画像創製装置が使用するメモリ中に、そのまま利用するような装飾画像がない場合に、顧客が装飾画像を作成する参考にする装飾図形等のサンプルがメモリ中にあるか否かを判断するステップである。
装飾画像を創製するときに、既存の装飾画像を直接に使用しない場合に、例えば、装飾画像メモリ７中の装飾画像の図形の配置又は背景等はメモリに記録されている装飾画像を用い、個々の図形については、装飾図形メモリ２５に記録されている図形や一時メモリ２６に記録されている顧客のオリジナル図形と入替えて装飾画像を創製することを希望するときは、ステップＳ１１に進む。
顧客の希望が、装飾画像メモリ７にある装飾画像とは関係無しに、全く初めから装飾画像を創製する希望のときは、ステップＳ１２に進む。
ステップＳ１１は、サンプルとした装飾画像中で入替えを希望する装飾図形だけを画面に取込むステップである。顧客が装飾を希望する携帯機器については、外観や形状寸法のデータがメモリ２４中にあるので、図形等の取込みだけでよい。例えば、その携帯機器に施した装飾画像をサンプルとして装飾画像中の図形等を入替える際に、入替えに使用する図形や模様、背景、写真やキャラクタ等をメモリ２５、２６から画面に取込む。
メモリにないときは、顧客が持参した図形や模様、写真等を機器図形取込み装置５で取込んで一時メモリ２６に記録し画面に表示する。顧客が装飾を希望するサンプルの装飾画像と該装飾画像の一部の入替えを希望する図形等が画面に取込まれたときは、ステップＳ１３に進む。
ステップＳ１３は、入替えを希望する図形等とサンプルの装飾画像を用いて、顧客が希望する装飾画像を画像表示器の画面上で創製するステップである。装飾画像創製装置のメモリ中の装飾画像の一部や携帯機器の外観を利用しながら装飾画像を創製する作業は、画面に取込まれた図形や模様、背景、写真やキャラクタ等の大きさや色調、彩度や明度をコントローラボードのキーで調整して装飾画像を構成する図形等と入替えることによって行なうことができる。
例えば、図形の拡大縮小のキー操作をしたモードにおいて、マウス１２の上方を押せば図形等の大きさを拡大し、同じく下方を押せば縮小する機構によって図形の大きさの調整作業が行なわれる。また、色調調整のキー操作をしたモードにおいては、マウス１２の中心から上下及び左右方向にどれほどの距離だけ離れた位置を押さえるかの操作によって、色調を種々の色調に変更する。さらに、取込まれた図形等の明度は、調整キー４２の操作をしたモードにおいて、マウス１２を操作することにより、図形の大きさの調整の操作と同様に明度を調整することができ、図形の彩度も、彩度調整のモードにおいて、マウス１２を操作することにより、同様に調整することができる。
このような色調などの調整は、図形のみでなく機器図形取込み装置５で画面に取込んだ模様や図柄、背景等、カメラで撮影をした写真を装飾図形に利用するときも必要に応じて行なうことができ、サンプルとして取込んだ装飾画像に図形などの大きさや色調などを調整した図形等を重ね合わせることにより、顧客の希望の装飾画像の創製が行なわれる。
図形等の移動は、例えば、画面上に表示されている図形等の中、移動を希望する部分をポインタＦ９で囲って駆動状態にさせ、その部分をマウス１２の操作によってドラッグアンドドロップすれば、画面上で移動することができる。このようにして、サンプルの装飾画像の上に新しい図形等を移動して携帯機器の機影に重ね合せれば、画面上で装飾画像が創製される。
携帯機器に発光装置を設ける場合や発光装置を有する携帯機器に使用する装飾シールを製造する場合は、発光装置を携帯機器の装飾の一部に使うことが好ましい。本発明の装飾シール製造装置においては、装飾用の図形等を自由に配置できるので、発光装置の発光部と装飾用の図形等とを適合させ、図形等と発光部とが機器の装飾機能を高めるように組合せる位置合わせの作業も簡単に行なえる。
また、顧客が機器の装飾に発光装置を新たに設ける希望を有しているときは、発光部と装飾用の図形等の位置が適合するように図形等の大きさや位置を調整した装飾シールを製造すると同時に、この装飾シールの薄膜フィルムを機器に貼付するときに、機器に取付けられた発光装置を覆うように機器の外表面に貼付すれば、装飾用の薄膜フィルムで発光装置の取付けを強固にしたり発光装置を保護するような装飾シールを創製することもでき、発光装置が携帯機器の外壁に取り付けられているときでも、機器の美観を損なうおそれが少なくなる。
図９は、このような発光装置を有する携帯機器及びその発光装置の一実施例を示す説明図であり、右側は携帯機器５１に、携帯電話機を用いて装飾シールを貼付した状態を示し、左側は、この携帯電話機に貼付された発光装置４６の電気回路の一実施例を示している。
携帯電話機５１の外表面に貼付された装飾シールは、携帯電話機のアンテナ部５２、機体の表示窓５４等の３次元形状や発光部４８等と適合するように調整して印刷された装飾用の図形５３、例えば、花模様や星型模様や切り込み、或いは開口部を有しかつ、前記発光装置４６を覆うようにして機器の外表面に貼付されている。
発光装置４６は、発光部４８と整流ダイオード４９と電導線を巻回したコイル４７とこれらを接続する導線５０とから構成されている。これらの部品は、絶縁薄膜の上に銅やカーボン等の導電体をプリント印刷や蒸着の方法で形成された薄膜状の誘電コイルや導線、箔状のセラミックスダイオードとして作られ、発光装置４６の厚みは、例えば、絶縁薄膜を含めて、０．５ｍｍ或いはそれ以下の厚みの一枚のシートの装置である。
誘電コイル４７の一端は、発光部４８に、他端は整流ダイオード４９にそれぞれ絶縁シート上に印刷された導線５０で接続され、電話機のアンテナ部５２に近傍に貼付して使用される。
発光部４８は、薄型の発光体、例えば、発光ダイオードや有機ＥＬが用いられ、取り付けられ、電話機の希望の位置において発光するように配置して薄膜シート上に取り付けられ、整流ダイオード４９及びコイル４７にそれぞれ絶縁シート上に印刷された導線５０で接続されている。整流ダイオード４９は、同じく薄膜シートに印刷または貼付できる薄型のものが用いられ、そのそのアノードはコイル４７に、カソードは発光部４８にそれぞれ絶縁シート上に印刷された導線５０で接続されている。
このような構成の発光装置４６を電話機５１に取り付けるときは、コイル４７が電話機のアンテナ部５２に位置し、発光部４８が使用者の希望する位置になるようにして、シート状の発光装置４６を機体の外壁に貼り付けるように接着するなどの方法で取付ける。発光装置４６では、電話機５１が通信時に搬送波を送受信する状態になると、アンテナ部５２に生じた高周波電流によってコイル４７に電流を誘起されるので、この誘起電流を整流ダイオード４９で整流して供給される発光部４８においては、正の電流を受ける間だけ発光させることができる。
このような取付け方をした発光装置４６は、発光部４８を電話機の機体の中で、使用者が好む位置に発光部を形成することができ、本発明による装飾シートで発光装置４６覆うと、装飾シールの薄膜フィルムで発光装置４６の取付けを強固にしたり発光装置４６を保護しつつ、その発光部４８の発光を装飾に生かした装飾シールを創製することもできる。
また、一般の携帯機器においては、コイル４７部分を薄膜の太陽電池、整流ダイオード４９部を人の手が触れることによる誘電率の変化を利用した無接点スイッチなどに置き換えて、同様に絶縁シートに印刷して、薄膜状の発光装置４６にすれば、電話機のように電流源を有さない機器においても、発光装置をとりつけ、同様にして、本発明による装飾シートの利用効果を高めることができる。
更に又、このような装飾シールで発光装置４６を覆うような取付けをするときは、電気的な発光ばかりでなく、薄膜上の導線の変りに光ファイバーを用い、ダイオード４９の代わりに光増幅器を用い、発光部４８に光分散装置を用い、光ファイバーの一端を適当な光源、例えば、携帯電話機の場合であれば、通話呼び出し時に明るく点灯する画面に接続することによっても同様な光部を有する装飾に使用することができる。
創製された装飾画像は、画像表示器に表示された状態で顧客の評価を受けることができ、顧客が希望する装飾画像が画面上で得られたときは、ステップＳ１４に進む。ステップＳ１４は、ステップＳ８と同様に、画面において表示されている装飾画像中の携帯機器の機影を除いた画像部分のみを、携帯機器との実寸法関係を維持した状態で、シートに印刷するステップである。この印刷工程においても、顧客の希望や携帯機器の構造に応じて、携帯機器の機能部に開口を形成したシールに加工するための穴加工や切り込み加工がプロッタ６によって施される。装飾画像のシールは、その場で顧客の携帯機器に貼付して顧客に渡し、装飾画像の創製作業が終了する（ステップＳ１５）。
一方、装飾画像を創製する際に、これまでに創製された装飾画像や装飾画像創製装置の装飾図形メモリにある図形等を全く使わない場合は、ステップＳ１２において、新しい携帯機器の外観や形状寸法及び新しい図形等を機器図形取込み装置で取込む。
携帯機器の形状寸法等の仕様を取込むときは、シールによる装飾が、難しいスイッチ部分や表示部分等の機能部の形状寸法、及び、可動部分があるときは、その可動部の形状や寸法なども機器図形取込み装置で取込まれ、整理符号を付して一時メモリに記録される。
また、顧客が希望する装飾図形を取込むときは、同じくスキャナで図形を取込んだりカメラで肖像写真を写し、それぞれに整理符号を付して一時メモリに記録される。
これらの整理符号は、機器図形取込み装置５で携帯機器や図形などを取込んだ日時、携帯機器の製品名や機種番号、検索用の記号や番号を入れた符号であり、装飾画像の創製作業を進めていく際に、図形や携帯機器或いはその携帯機器に施された装飾図形の情報を適宜、メモリから取込み、将来において、同様な装飾画像の創製作業をするときに、同じような機器や図形については、携帯機器形状仕様メモリや装飾図形メモリ或いは装飾図形メモリのデータを読取ることにより、図形の取込み作業を簡略化できるようにしたものである。
ステップＳ１６は、一時メモリに記録された携帯機器の機影を画像表示器の画面に表示する一方、携帯機器に装飾を施す図形等を表示して装飾画像の概要を決定するステップである。携帯機器を装飾する図形や模様がおよそ決まって、それぞれ画像表示器の画面に表示されたら、ステップＳ１７に進む。
ステップＳ１７は、選択した図形や背景、模様などの大きさや色調を調整するステップである。画面に表示された機影の横で、装飾する図形等の色合いや大きさを、コントローラボードの装飾図形操作用キー１４やマウスを使って調整しながら、徐々に、顧客が希望する装飾画像に絞り込んでいく作業である。このとき、複数の図形や図柄を組合せて装飾をするときは、あらかじめ装飾画像操作用キー１５によって、複数の図形の調整や組合せ装飾をするという選択をしてから、作業を進める。このようにして図形等の調整作業がおよそ終れば、ステップＳ１８に進む。
ステップＳ１８は、コントローラボードの装飾図形操作用キー１４やマウスを使って調整された図形を機影の上に重ね合わせたり移動させたり、再調整しながら、装飾画像として機器に貼付したときの印象を確認するステップである。装飾画像を創製する作業においては、携帯機器の寸法データや図形等のデータは一時メモリに記録されているので、必要に応じて、データを取込み、機影の一部を拡大表示し、機能部を拡大して、装飾画像との位置関係を確認しながら、装飾作業を進めることができる。機影と装飾図形との重ね合わせ（画像表示器上での装飾画像の貼付）が終了したら、ステップＳ１９に進む。
ステップＳ１９では、装飾の完成度を確認するために、装飾画像を携帯機器に貼付した装飾状態を画像表示器上で種々の角度から表示するステップである。ステップＳ１２で取込まれたデータによって変るが、携帯機器の外観や形状寸法を、６つの側面のデータとして記録されているときは、そのデータを基に、装飾された携帯機器の全体を回転しながら表示し、装飾状態を確認することができる。この確認作業の後、ステップＳ２０に進む。
ステップＳ２０は、ステップＳ１９の確認作業において、携帯機器の他の側面にも装飾を施し、一部の側面の装飾図形を修正する必要があるかどうかを判断するステップである。このステップにおいて、装飾を変更する必要があると判断されたときは、ステップＳ２１に進む。修正の必要が無く、画像表示器上で装飾画像が完成されたと確認されたときは、ステップＳ２２に進む。
ステップＳ２１では、装飾を修正し、追加して装飾を施す希望の機影を画像表示器上に表示させるステップである。装飾を施す機影が表示されたら、再び、ステップＳ１６に戻って、装飾図形の選択、調整、移動、貼付等の作業をして、ステップＳ１９の確認作業やステップＳ２０の完成の判断作業を繰り返す。
ステップＳ２２は、画像表示器上で装飾画像が完成されたと確認されたときに完成された装飾画像を一時メモリに記録するステップである。これは、完成された装飾画像を機体に貼付するためにシートに印刷する作業を円滑に進めるための保存である。このときも、上述したような整理符号を付してメモリに記録され、ステップＳ２３に進む。
ステップＳ２３は、完成された装飾画像を顧客が保存し続けることを希望するか、保存しないかを判断するステップである。装飾画像を保存することを顧客が認めるときは、ステップＳ２４に進み、保存を顧客が望まないときは、ステップＳ２５に進む。
ステップＳ２５は、上述したステップＳ８やステップＳ１５と同様な印刷のステップである。このステップＳ２５では、画面に表示されている装飾画像中の携帯機器の機影を除いた画像部分のみを、携帯機器との実寸法関係を維持した状態で、シートに印刷する。また、顧客の希望や携帯機器の構造に応じて、携帯機器の機能部に開口を形成したシールに加工するための穴加工や切り込み加工がプロッタ６によって施される。
この後、装飾画像のシールは、その場で順客の携帯機器に貼付して顧客に渡され、装飾画像による装飾が顧客によって、受取られたら、ステップＳ２６に進む。
ステップＳ２６は、これまでの装飾画像創製の作業において、顧客の希望で装飾画像創製装置の一時メモリに記録していた装飾図形の情報を記録を消去するステップである。装飾画像が完成して顧客に渡された後は一時メモリの記録は、当面の装飾画像の創製作業には必要ないのであるから、顧客の指示があれば、消去され、この装飾画像の創製作業が終了する（ステップＳ２７）。
ステップＳ２４は、一時メモリに記録されている情報に整理符号（メモリコード）を付して長期に保存するステップである。
この整理符号は、装飾図形の情報、携帯機器の外観や形状寸法データ、装飾画像情報のそれぞれに固有の符号として付されて携帯機器形状仕様メモリ、装飾図形メモリ、装飾画像メモリに記録され、この後、ステップＳ２８に進む。
ステップＳ２８は、ステップＳ８、ステップＳ１４、ステップ２５と同様な印刷と穴加工や切り込み加工がプロッタ６によって施されるステップである。しかし、このステップＳ２８では、これらの印刷と同時に、装飾シールにも新しく取込んだ装飾図形や装飾画像等のメモリコードが印刷される。このとき、印刷されるコードが装飾の美観を損ねるようなときは、視覚では認知できないが符号読取装置に使用する光線では読取ることができる特殊なインクを使って印刷をすると良い。
メモリコードは、上述したように、この後に、汚れた装飾画像を新しい同じ装飾画像に取り替える時に簡単に同じ装飾画像を提供し印刷し、携帯機器の装飾を新たに希望する顧客に対するサンプルやモデルとして利用することにより、迅速かつ簡便な携帯機器装飾画像創製のデータとして活用される。この後、装飾画像のシールは、その場で顧客の携帯機器に貼付して顧客に渡され、装飾画像による装飾が顧客によって、受取られたら、装飾画像の創製作業は終了する（ステップＳ２９）。
なお、先に述べた透明樹脂フィルムは、装飾画像の保護フィルムとしても使用することができる。すなわち、上述したような材料で０．０２乃至０．００２ｍｍの厚みに加工されたフィルムは、装飾画像シールの上に保護フィルムとして重ね合せたときでも、その合計の厚みは、０．０４乃至０．００４ｍｍなので、携帯機器に装飾画像シールを貼付し、その上に重ねて保護フィルムを貼付した状態であっても、従来の装飾画像フィルム１枚と同様な厚みにすることができ、顧客は、従来の装飾画像シールと全く同じような感触で装飾が施された携帯機器を使用することができる。
この場合に、装飾画像の保護フィルムとして最も好ましいのは、装飾画像シールを作ったフィルムと同じ透明樹脂フィルムを保護フィルムに使用することである。すなわち、保護フィルムが装飾画像シールと同じフィルムであれば、装飾画像シール用のシートと保護フィルム用のシートとを別々に調達し準備する必要はなく、これらのシートを区別して保管管理する必要も無く、携帯機器装飾のための資材の管理や保護フィルムによるオーバーコート作業も装飾画像シールの貼付け作業と全く同様な手順となり、全ての点で簡略化されるからである。
また、顧客の要望に応じて保護フィルムを貼付する時は、プロッタを用いて装飾画像シールを作った時と全く同じ要領で、剥離紙に貼付された状態の透明樹脂フィルムのシートの外形だけをその携帯機器の形状寸法に合わせて切取れば、保護フィルム用のシートができあがる。
保護フィルム用のシートは、装飾画像の保護と共に、携帯機器の機能部、例えば、携帯電話機であれば、その待ち受け画面や操作ボタンも透明フィルムで覆って保護するのであるから、装飾画像シールのように、機能部を切り抜いて開口を設ける必要はない。
このようにして装飾画像シール用の透明樹脂フィルムを保護フィルムに併用して装飾画像のシールの上から携帯機器全体をオーバーコートすれば、携帯機器の装飾をする現場において、特別な資材を用いることなく、顧客の要望に応じて、適宜、保護フィルムシートを作り、装飾された携帯機器の上に重ねて貼付して装飾画像等のオーバーコート層を形成することができるのみならず、オーバーコート層によって、極めて簡単に装飾画像の保護や、汗や雨水による装飾画像の色ずれや画像のにじみを抑えることができる上に、携帯機器の操作ボタン等の可動部や表示画面などの機能部を雨水や塵埃から保護ができる。
また、携帯機器データの操作キー、装飾図形操作用キー、装飾画像操作用キー及び読取キー、表示キー、調整キー、創製キー、メモリへの記録キー、メモリからの読取キー、印刷キーなどは説明の都合上機能が独立した専用キーとして分けて説明をしたが、状況に応じて、これらの中の複数の機能をまとめて一つのキースイッチとしてまとめた実施形態や、マウスに種々の機能を付与した形態でも本発明の携帯機器装飾の機能は保たれる。
このように、本発明の携帯機器装飾方法及びその装置は、顧客が持参する種々の携帯機器に対する多様なデザインの装飾要求、固有の装飾を施す要求に対応して、コンピュータで作成した画像や予め記憶されている装飾画像情報等を活用して、顧客の前で好みの装飾画像に創製し、決定された画像を画像シールとしてその場で提供し、貼付する等、個性豊かな装飾画像シールを迅速かつ簡便に作成して装飾を施す携帯機器の装飾の方法や携帯機器装飾装置を提供することができる。
また、この装置による画像シールの提供は、顧客の目の前で好みに合せて画像が決定され、顧客が持参した携帯機器の形状や寸法特性に合わせて、印刷し、貼付するので、あらかじめ印刷した画像シールを在庫しておく必要がないばかりでなく在庫管理は容易になる。また、顧客に提供した画像や機器の仕様データはメモリに記憶して、次の装飾シートの提供時に活用されるので、顧客の好みに合致した装飾を簡易に施す、顧客満足度の高い携帯機器の装飾方法及び携帯機器装飾装置を提供することができる。
【図１】
2004072869.tif 000003
【図２】
2004072869.tif 000004
【図３】
2004072869.tif 000005
【図４】
2004072869.tif 000006
【図５】
2004072869.tif 000007
【図６】
2004072869.tif 000008
【図７】
2004072869.tif 000009
【図８】
2004072869.tif 000010
【図９】
2004072869.tif 000011
【手続補正書】
【提出日】平成16年6月25日(2004.6.25)
【手続補正００１】
【補正対象書類名】特許請求の範囲
【補正対象項目名】特許請求の範囲
【補正方法】変更
【補正の内容】
【特許請求の範囲】
【請求項１】
（補正後）コンピュータと該コンピュータで得られた装飾図形出力を表示する画像表示器と該コンピュータによって駆動される印刷機とを備え、前記コンピュータには、携帯機器の形状仕様の情報を記録する携帯機器仕様メモリと、該携帯機器に貼付する装飾図形の情報を記録する装飾図形メモリと、コンピュータ操作部とを備え、該操作部には、画像表示器に表示された装飾画像を前記印刷機によって装飾図形貼付用のシートに印刷するようにした携帯機器装飾装置において、
前記該操作部には、前記携帯機器仕様メモリに該携帯機器に固有の整理符号と共に記録されている携帯機器仕様情報を取込み携帯機器の機影を前記画像表示器に表示させる操作手段と、前記装飾図形メモリに該装飾図形に固有の整理符号と共に記録されている装飾図形情報を取込んで装飾図形を前記画像表示器に表示させる操作手段と、前記画像表示器に表示された装飾図形の大きさや色彩を調整する操作手段と、前記画像表示器に表示されている携帯機器の機影に装飾図形を重ね合わせて装飾画像を画面上で創製する操作手段と、携帯機器に固有の装飾画像として完成された装飾画像情報を該装飾画像に固有の整理符号と共に装飾画像メモリに記録する装飾画像記録操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置。
【請求項２】
（補正後）コンピュータと、携帯機器の形状仕様や図形等の読取りの機器図形取込み装置と、該コンピュータで得られた装飾図形出力を表示する画像表示器と該コンピュータによって駆動される印刷機とを備え、前記コンピュータには、携帯機器の形状仕様の情報を記録する携帯機器仕様メモリと、該携帯機器に貼付する装飾図形の情報を記録する装飾図形メモリと、コンピュータ操作部とを備え、該操作部には、画像表示器に表示された装飾画像を前記印刷機によって装飾図形貼付用のシートに印刷するようにした携帯機器装飾装置において、
前記機器図形取込み装置は、携帯機器の形状仕様を測定しその形状仕様をデジタル情報化する機器仕様の取込み装置を有し、前記コンピュータの操作部には、前記機器図形取込み装置で得られた携帯機器の形状仕様の情報を該携帯機器に固有の整理符号と共に前記携帯機器仕様メモリに記録させる機器仕様情報の記録手段と、前記携帯機器仕様メモリに該携帯機器に固有の整理符号と共に記録されている携帯機器仕様情報を取込み携帯機器の機影を前記画像表示器に表示させる操作手段と、前記装飾図形メモリに記録されている装飾図形情報を取込んで装飾図形を前記画像表示器に表示させる操作手段と、前記画像表示器に表示された装飾図形の大きさや色彩を調整する操作手段と、前記画像表示器に表示されている携帯機器の機影に装飾図形を重ね合わせて装飾画像を画面上で創製する操作手段と、携帯機器に固有の装飾画像として完成された装飾画像情報を該装飾画像に固有の整理符号と共に装飾画像メモリに記録する装飾画像記録操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置。
【請求項３】
（補正後）コンピュータと該コンピュータで得られた装飾図形出力を表示する画像表示器と該コンピュータによって駆動される印刷機とを備え、前記コンピュータには、携帯機器の形状仕様の情報を記録する携帯機器仕様メモリと、該携帯機器に貼付する装飾図形の情報を記録する装飾図形メモリと、コンピュータ操作部とを備え、該操作部には、画像表示器に表示された装飾画像を前記印刷機によって装飾図形貼付用のシートに印刷するようにした携帯機器装飾装置において、
前記画像表示器には、記録する携帯機器仕様メモリに記録された携帯機器の形状及び装飾図形メモリに記録された装飾図形を一覧形式及び携帯機器に装飾した装飾画像のサンプル例として切替表示する機能を有し、かつ、前記該操作部には、前記画像表示器に表示されているサンプル図形を表示器の画面上の操作によって切替表示、拡大表示、移動操作をする操作手段と、前記画像表示器に表示された装飾図形の大きさや色彩を調整する操作手段と、前記画像表示器に表示されている携帯機器の機影に装飾図形を重ね合わせて装飾画像を画面上で創製する操作手段とを有していることを特徴とする携帯機器装飾装置。
【請求項４】
（補正後）コンピュータと該コンピュータで得られた装飾図形出力を表示する画像表示器と該コンピュータによって駆動される印刷機とを備え、前記コンピュータには、携帯機器の形状仕様の情報を記録する携帯機器仕様メモリと、該携帯機器に貼付する装飾図形の情報を記録する装飾図形メモリと、コンピュータ操作部とを備え、該操作部には、画像表示器に表示された装飾画像を前記印刷機によって装飾図形貼付用のシートに印刷するようにした携帯機器装飾装置において、
前記携帯機器は、薄膜の発光装置と該発光装置を覆うように機器に貼付された装飾シールを有し、かつ、前記該操作部は該携帯機器の機影を前記画像表示器に表示させる操作手段と、装飾図形情報を装飾図形を前記画像表示器に表示させる操作手段と、前記画像表示器に表示された装飾図形の大きさや位置を調整する操作手段と、前記画像表示器に表示されている携帯機器の発光装置の発光部と装飾用の図形とを適合させる装飾画像を創製する操作手段と、画像表示器に表示された装飾画像の中の装飾図形の成分を前記印刷機によって携帯機器との実寸法関係を保持して装飾図形貼付用のシートに印刷する操作手段とを有していることを特徴とする携帯機器装飾装置。
【請求項５】
前記コンピュータは、携帯機器と装飾図形とを重ね合わせた装飾画像を表示している画像表示器に、新たな装飾図形を表示し、この装飾図形を前記装飾画像に重ねて表示させる操作手段と、装飾画像を構成する複数の装飾図形のそれぞれの大きさや色彩を独立して調整する調整操作手段とを有し、携帯機器の機影に複数の装飾図形を重ね合わせて得られた装飾画像の中の装飾図形成分を単一の図形として前記印刷機によって装飾図形貼付用のシートに印刷する操作手段とを有している請求項１ないし請求項４のいずれかに記載の携帯機器装飾装置。
【請求項６】
（補正後）コンピュータと機器図形取込み装置と該コンピュータで得られた装飾図形情報を映像画面に表示する画像表示器と該コンピュータによって駆動される印刷機とを備え、前記コンピュータには、携帯機器の外形仕様情報を該携帯機器に固有の整理符号と共に記録する携帯機器仕様メモリと、該携帯機器に貼付する装飾図形の情報を該装飾図形に固有の整理符号と共に記録する装飾図形メモリとを備えるとともに、前記機器図形取込み装置で得られた装飾図形の情報を該装飾図形に固有の整理符号と共に前記装飾図形メモリに記録し、前記携帯機器仕様メモリに記録されている携帯機器仕様情報を読取り、携帯機器の機影を前記画像表示器に表示させ、前記装飾図形メモリに記録されている装飾図形情報を読取り装飾図形を前記画像表示器に表示させ、前記画像表示器に表示された装飾図形を調整してあらかじめ画像表示器に表示されている携帯機器の機影に装飾図形を重ね合わせて装飾画像を作り、その後に、画像表示器に表示された装飾画像の中の装飾図形の成分を前記印刷機によって携帯機器との実寸法関係を保持して装飾図形貼付用のシートに印刷して装飾画像シールを創製し、該携装飾画像シールを携帯機器に貼付して創製した画像の装飾をすることを特徴とする携帯機器装飾方法。
【国際調査報告】
2004072869.tif 000012
2004072869.tif 000013